(57)【要約】　　　（修正有）【課題】簾の風情を損なうことなく、広げた簾を立設状態に確実に保持することの出来る簾用支持部材を提供する。【解決手段】広げた状態の簾１の一側面側を支持する枠部が備えられ、この枠部が、所定間隔開けて配設された複数本の縦杆４と、所定間隔開けて配設された複数本の横杆５とから構成され、枠部の下端部には、簾を構成する茎状部材の下端を受け止める受け止め板６が備えられている。【選択図】　図３
2004137706.tif 000002
【特許請求の範囲】
【請求項１】
細い軸状部材を紐材で多数連結してなる簾を広げた状態で立設させるための支持部材であって、
広げた状態の簾の一側面側を支持する枠部が備えられ、この枠部が、所定間隔開けて配設された複数本の縦杆と、所定間隔開けて配設された複数本の横杆とから構成され、枠部の下端部には、簾を構成する軸状部材の下端を受け止めるための受け止め板が備えられていることを特徴とする簾用支持部材。
【発明の詳細な説明】
【０００１】
【発明の属する技術分野】
本発明は、主として葦簾を広げた状態で立設させるのに用いる支持部材に関する。
【０００２】
【従来の技術】
一般に、例えばテラスなどの目隠しのために、地面に立設した支柱間に木製のラティスを架設して、ラティスにより視界を遮るようにしたものを見受ける。
【０００３】
以上のラティスは、通常、木製の板材から組まれて、充分に強度を備えていることから、このラティスを単独で支柱間に架設しても不具合は生じない。
【０００４】
一方、近年、多数の葦を紐材で連結してなる葦簾が見直され、窓に吊下げて、すだれとして使用する他に、テラスやベランダなどの出入口に立てかけて、日除けとして使用されている。
【０００５】
【発明が解決しようとする課題】
しかして本願出願人は、日本的な雰囲気を醸し出すべく、ラチスに替えて葦簾を遮蔽材として利用することを考えたのであるが、葦簾は、ラチスとは異なり、既知のごとく、多数の細い葦を紐材で連結したものであるから、自立させることは非常に困難であるし、また紐材で連結されている多数の葦を例えば地面から浮かせた状態に保持することは困難である。
【０００６】
また葦簾は紐材で連結されている葦と葦との間に隙間があって、簾の表側から裏側が一部透けて見える点に風情があるが、この葦簾を遮蔽材として利用すべく、例えば支柱間にベニヤ板などのパネルを架設して、このパネルの表面に簾を組み付けるだけでは、前述の風情を保つことが出来ないものである。
【０００７】
本発明は以上の実情に鑑みて開発したものであって、目的とするところは、簾の風情を損なうことなく、広げた簾を立設状態に確実に保持することの出来る簾用支持部材を提供するにある。
【０００８】
【課題を解決するための手段】
以上の目的を達成するために、本発明は、広げた状態の簾の一側面側を支持する枠部が備えられ、この枠部が、所定間隔開けて配設された複数本の縦杆と、所定間隔開けて配設された複数本の横杆とから構成され、枠部の下端部には、簾を構成する軸状部材の下端を受け止める受け止め板が備えられていることを特徴とするものである。
【０００９】
【発明の実施の形態】
図において符号２で示す簾用支持部材は、広げた葦製の簾１を直立させた状態で保持するためのものである。
【００１０】
この支持部材２により保持される簾１は、軸状部材１０として葦の茎を所定長さに切断したものを用い、この軸状部材１０を多数並列に並べて、細紐１１で連結してなる既知構造のものである。
【００１１】
図に示す簾用支持部材２は、広げた簾１の一側面側を支持する略矩形状の枠部３が備えられている。
【００１２】
この枠部３は、図１にも示すように、所定間隔開けて配設された４本の縦杆４と、所定間隔開けて配設された４本の横杆５とから構成されている。
【００１３】
これら縦杆４及び横杆５は、断面円形とした金属線材から形成され、横杆５を縦杆４に溶接により接合している。
【００１４】
横杆５の長さ方向両端部には、図２にも示すように、後記する支柱７に固定するための固定片５１が一体に設けられ、この固定片５１には、釘８の挿通孔５２が形成されている。
【００１５】
具体的には、横杆５の長さ方向両端部を下方に９０度屈曲させると共に、この屈曲部位を偏平状にプレス加工して、このプレス加工部位を固定片５１として用いている。
【００１６】
また以上のごとく枠状に組まれた枠部３の下端部、具体的には、縦杆４の下端には、簾１を構成する軸状部材１０の下端を受け止める受け止め板６が組み付けられている。
【００１７】
受け止め板６は細幅の金属板から構成され、この受け止め板６を縦杆４の下端に溶接により接合している。
【００１８】
またこの受け止め板６の長さ方向両端部にも図２に示すように、支柱７に固定するための固定片６１が一体に設けられ、この固定片６１には、釘８の挿通孔６２が形成されている。
【００１９】
具体的には、受け止め板６の長さ方向両端部を上方に９０度屈曲させて、この屈曲部位を固定片６１として用いている。
【００２０】
更に枠部３の上端部中央には、図１にも示すように、２本の補強杆９がクロス状に設けられているのであって、この補強杆９は、その長さ方向両端を縦杆４と横杆５の接合部位に溶接により接合して、枠部３の補強を図っている。
【００２１】
尚、図に示す実施形態では、枠部３が目立たないように、縦杆４、横杆５並びに補強杆９の外面を黒色に塗装している。
【００２２】
以上の構造からなる支持部材２を用いて、葦簾１を例えば庭などに立てた状態に配設するには、先ずこの支持部材２の固定片５１・６１を、庭に立設した左右一対の支柱７の側面に釘８で止めて、この支持部材２を支柱７間に架設する。
【００２３】
続いて、簾１を広げて、軸状部材１０の下端を受け止め板６上に載せ、簾１全体を枠部３の前面側に沿わせる。
【００２４】
続いて、針金または既存の結束バンド（インシュロックタイ）により、適宜な箇所で軸状部材１０を横杆５乃至縦杆４に結び止める。
【００２５】
斯くして、以上の支持部材２に取り付けられた簾１は、軸状部材１０の下端が受け止め板６で受け止められるので、枠部３への取付作業が簡単かつ容易に行なえるし、また枠部３への取付に伴い、軸状部材１０が整然と揃って、見栄えも良好となり、簾１を地面から所定間隔浮かせた状態に配置する場合において特に有効である。
【００２６】
また以上の支持部材２にあっては、枠部３が縦杆４と横杆５とから構成されているので、枠部３が、細紐１１で連結されている軸状部材１０間の隙間からの露呈が少なく、簾の表側から裏側が一部透けて見える風情が損なわれる不具合が少ない。
【００２７】
以上の実施形態では、枠部３に、葦の茎を多数並列に並べて細紐で連結した葦簾を取り付けるようにしたが、これに限定されるものではなく、例えば合成樹脂製の軸状部材を多数並列に並べて細紐で連結した簾を取り付けてもよいし、あるいは葦の茎から構成される軸状部材や合成樹脂製の軸状部材を縦横に編んだ簾を取り付けるようにしてもよい。
【００２８】
【発明の効果】
以上のごとく本発明によれば、広げた状態の簾の一側面側を支持する枠部が備えられ、この枠部を、所定間隔開けて配設された複数本の縦杆と、所定間隔開けて配設された複数本の横杆とから構成して、枠部の下端部に、簾を構成する軸状部材の下端を受け止める受け止め板を設けたことにより、枠部への簾の取付に際して、簾を構成する軸状部材の下端が受け止め板で確実に受け止められて、枠部への簾の取付作業が簡単かつ容易に行なえるし、しかも枠部への取付に伴い、軸状部材が上限にずれるようなことなく整然と揃って、見栄えも良好となる。
【００２９】
また本発明の支持部材にあっては、簾を取り付ける枠部が縦杆と横杆とから構成されているので、枠部が、細紐で連結されている軸状部材間の隙間からの露呈が少なく、簾の表側から裏側が一部透けて見える風情を損なうことがない。
【図面の簡単な説明】
【図１】本発明にかかる簾用支持部材の正面図。
【図２】同、側面図。
【図３】本発明にかかる簾用支持部材の使用例を示す斜視図。
【図４】パネルが膨張した状態を示すデッキの要部の拡大断面図。
【図５】同、要部の拡大正面図。
【符号の説明】
１　　　簾
１０　　軸状部材
２　　　支持部材
３　　　枠部
４　　　縦杆
５　　　横杆
５１　　固定片
６　　　受け止め板
【図１】
2004137706.tif 000003
【図２】
2004137706.tif 000004
【図３】
2004137706.tif 000005
【図４】
2004137706.tif 000006
【図５】
2004137706.tif 000007